(57)【要約】【課題】  雑草が生い茂る傾斜地における草刈作業など、傾斜地において各種作業に用いられる足場確保器具を提供する。【解決手段】  足場確保器具１は、傾斜地に配置される板状の足場台本体２と、足場台本体２のうち傾斜地の山側に配置される方の側面に沿って複数設けられ下方に伸びる短片の爪部４と、足場台本体２のうち傾斜地の谷側に配置される方の側面に沿って複数設けられ下方に伸びる長片の爪部５と、長片の爪部５に架け渡される横架部材６と、足場台本体２に取り付けられ上方に伸びる柄７とを有する。【選択図】図１
2018071303.tif 000002
【特許請求の範囲】
【請求項１】
傾斜地に配置される板状の足場台本体と、
当該足場台本体のうち前記傾斜地の山側に配置される方の側面に沿って複数設けられ、下方に伸びる短片の爪部と、
当該足場台本体のうち前記傾斜地の谷側に配置される方の側面に沿って複数設けられ，下方に伸びる長片の爪部と、
前記長片の爪部に架け渡される横架部材と、
前記足場台本体に取り付けられ上方に伸びる柄とを有することを特徴とする足場確保器具。
【請求項２】
前記長片の爪部のいずれか１つには外方に向けて受け台が突設され、当該受け台には上向きに雄ねじ部が形成されており，前記柄の下端部には当該雄ねじ部と螺合する雌ねじ部が形成されており、前記雄ねじ部に対して前記雌ねじをねじ込むことにより、前記足場台本体に対して前記柄を着脱自在に取り付けることを特徴とする請求項１記載の足場確保器具。
【請求項３】
前記長片の爪部にはＪ字状のフックが先端を上向きにして取り付けられており、前記足場台本体から取り外された柄を横向きにして当該フックに嵌め込むことができることを特徴とする請求項１または２記載の足場確保器具。
【請求項４】
前記長片の爪部の延伸方向には所定の間隔で複数の調整用ボルトが外方に向けて突設され、前記横架部材には当該調整用ボルトに挿入可能な孔が形成されており、前記横架部材の孔に対して任意に選択した高さ位置にある調整用ボルトを挿入して、当該調整用ボルトの先端部を緊結金具により締め付けることにより、横架部材の取付け高さを可変とすることを特徴とする請求項１ないし３記載の足場確保器具。
【請求項５】
前記柄には長手方向に沿って筒体が固定されており、当該筒体には草刈り作業に用いられる熊手の柄が挿入されることを特徴とする請求項１記載の足場確保器具。
【発明の詳細な説明】
【技術分野】
【０００１】
本発明は、傾斜地において草刈り等の各種作業を行う場合に用いられる傾斜地用の足場確保器具に関する。
【背景技術】
【０００２】
山地や丘陵地、道路や線路の法面にみられる傾斜地には雑草が生い茂っており、草刈作業を行わないと雑草が繁茂してしまう。広範囲の雑草を刈り取るために、ガソリンエンジンなどの駆動源により回転する切刃（チップソーやナイロンコードカッター）を備えた草刈機（刈払機）を用いることがある。
【０００３】
このような草刈機を用いて草刈作業を行う場合、作業者は、傾斜地の傾斜面上において自立姿勢を保持しなければならず、体力的な負担が大きい。とくに、草刈機等の重量物を操作しながらの姿勢保持は、相当な体力的消耗を伴うから、長時間の作業が困難である。
【０００４】
従来、傾斜地に作業用足場を確保するための手段として、非特許文献１に示されるような仮設階段（仮設ステップ）が知られている。この仮設階段は、傾斜地を昇降する際の仮設の階段や、傾斜地での除草作業を行ったりする際の足場として利用されることを目的としており、別体として附属する複数本の杭を打設して、足場台本体を傾斜地に設置するというものである。
【先行技術文献】
【非特許文献】
【０００５】
【非特許文献１】株式会社サンポリ、商品チラシ、［平成２８年１１月４日検索］http://www.sunpoly.jp/wp/wp-content/uploads/2013/06/catalog-rakukaru.pdf
【発明の概要】
【発明が解決しようとする課題】
【０００６】
傾斜地における草刈作業に限らず、傾斜地に樹木や苗木を植栽する場合や、傾斜地上で育成された果実の収穫作業等を行う場合において、作業員にとって作業し易い足場を確保することができれば、作業効率が向上し、また、作業中の安全を確保することもできる。
【０００７】
ところで、非特許文献１に示される器具によると、所望の位置に足場を形成するためには、足場台本体を所望の位置に配置した上で、腰をかがめて、ハンマー等の工具を用いて杭３本を打ち込む必要があり、これを撤去する際には工具等を用いて杭３本を引き抜く等の手間があり、非常に煩雑である。草刈のような作業は、作業者の立ち位置を中心としてその周囲の草刈作業を終えたら次の作業位置まで移動することになるため、所望の位置に作業用足場を容易に形成することができ、かつ、作業を終えたら、これを容易に撤去することができ、次の作業位置において作業用足場を容易に形成することができるのが望ましい。
【０００８】
加えて、非特許文献１に示される器具によれば、草刈等の対象範囲が広範に及ぶ場合には、多数台の製品を用意して設置する必要があるという問題がある。購入コストや現場までの搬送性の観点からすると、少数かつコンパクトで、広範囲にわたる作業に対応可能な足場確保器具が望まれる。
【０００９】
本発明は、上述の課題に鑑みてなされたものであり、雑草が生い茂る傾斜地における草刈作業など、傾斜地において各種作業に用いられる傾斜地用の足場確保器具を提供することを目的とする。
【課題を解決するための手段】
【００１０】
本発明の足場確保器具は、傾斜地に配置される板状の足場台本体と、当該足場台本体のうち前記傾斜地の山側に配置される方の側面に沿って複数設けられ下方に伸びる短片の爪部と、当該足場台本体のうち前記傾斜地の谷側に配置される方の側面に沿って複数設けられ下方に伸びる長片の爪部と、前記長片の爪部に架け渡される横架部材と、前記足場台本体に取り付けられ上方に伸びる柄とを有することを特徴とする。
【００１１】
本発明の足場確保器具は、任意的に、前記長片の爪部のいずれか１つには外方に向けて受け台が突設され、当該受け台には上向きに雄ねじ部が形成されており，前記柄の下端部には当該雄ねじ部と螺合する雌ねじ部が形成されており、前記雄ねじ部に対して前記雌ねじをねじ込むことにより、前記足場台本体に対して前記柄を着脱自在に取り付けるようにしても良い。
【００１２】
本発明の足場確保器具は、任意的に、前記長片の爪部にはＪ字状のフックが先端を上向きにして取り付けられており、前記足場台本体から取り外された柄を横向きにして当該フックに嵌め込むことができるようにしても良い。
【００１３】
本発明の足場確保器具は、任意的に、前記長片の爪部の延伸方向には所定の間隔で複数の調整用ボルトが外方に向けて突設され、前記横架部材には当該調整用ボルトに挿入可能な孔が形成されており、前記横架部材の孔に対して任意に選択した高さ位置にある調整用ボルトを挿入して、当該調整用ボルトの先端部を緊結金具により締め付けることにより、横架部材の取付け高さを可変とすることによって，横架部材を上下方向に調整可能とするようにしても良い。
【００１４】
本発明の足場確保器具は、任意的に、前記柄には長手方向に沿って筒体が固定されており、当該筒体には草刈り作業に用いられる熊手の柄が挿入されるようにしても良い。
【発明の効果】
【００１５】
本発明によれば、傾斜地において容易に足場を確保することができる。短片の爪部を設けたことにより谷側に体重をかけた場合でも足場確保器具が谷側に転落することを抑制することができ安全である。また、長片の爪部に横架部材を設けたことにより、長片の爪部の地中挿入量を規制することができ、足場面上に体重を負荷した場合でも、足場面を略水平に保持することができる。
【図面の簡単な説明】
【００１６】
【図１】本発明の第１の実施の形態である足場確保器具を模式的に示した側面図である。
【図２】図１に示す足場確保器具を模式的に示した正面図である。
【図３】図１に示す足場確保器具を模式的に示した背面図である。
【図４】図１に示す足場確保器具の柄の着脱方法を模式的に示した説明図である。
【図５】図１に示す足場確保器具を用いて傾斜地に足場を確保した状態を示す使用状態説明図である。
【図６】図１に示す足場確保器具の足場台本体から取り外された柄をフックに嵌め込んだ状態を模式的に示した正面図である。
【図７】図１に示す足場確保器具の足場台本体から取り外された柄をフックに嵌め込んだ状態を模式的に示した側面図であり、特に、２台の足場確保器具を重ねて平らな地面上に置いた状態を示す説明図である。
【図８】本発明の第２の実施の形態である足場確保器具を模式的に示した側面図である。
【図９】図８に示す足場確保器具を模式的に示した正面図である。
【図１０】図８に示す足場確保器具を用いて傾斜角度αの傾斜地に足場を確保した状態を示す使用状態説明図である。
【図１１】図８に示す足場確保器具を用いて傾斜角度βの傾斜地に足場を確保した状態を示す使用状態説明図である。
【図１２】本発明の第３の実施の形態である足場確保器具を模式的に示した側面図である。
【図１３】図１２に示す足場確保器具に草刈り作業に用いられる熊手を備え付けた状態を模式的に示した正面図である。
【発明を実施するための形態】
【００１７】
以下、本発明の第１の実施の形態である足場確保器具１について説明する。図１は本発明の第１の実施の形態である足場確保器具１を模式的に示した側面図であり、図２は図１に示す足場確保器具１を模式的に示した正面図であり、図３は図１に示す足場確保器具１を模式的に示した背面図である。
【００１８】
足場確保器具１は、平板状の足場台本体２を有する。足場台本体２を傾斜地に配置したとき、足場台本体２の表面が作業員がのる作業用足場面３となる。
【００１９】
足場台本体２の一方の側面に沿って、下方に伸びる短片の爪部４が複数設けられている。本実施の形態においては、短片の爪部４のそれぞれは、足場台本体２裏面の一方の側面（足場台本体２を傾斜地に配置したとき、山側に配置される方の側面）に沿って、等間隔で複数配置されている。
【００２０】
足場台本体２の他方の側面に沿って，下方に伸びる長片の爪部５が複数設けられている。本実施の形態においては、長片の爪部５のそれぞれは、足場台本体２裏面の他方の側面（足場台本体２を傾斜地に配置したとき、谷側に配置される方の側面）に沿って、等間隔で複数配置されている。
【００２１】
短片の爪部４および長片の爪部５のそれぞれは、足場台本体２を略水平に配置したとき、それぞれの爪部４、５が鉛直下方に伸びるように、足場台本体２に対してほぼ直角に設けられている。図１等に示されるとおり、長片の爪部５の方が短片の爪部４よりも延伸方向に長い。また、それぞれの爪部４、５の先端は、地中に挿入し易くするため、先細りするような形状に形成されている。本実施の形態においては、それぞれの爪部４、５は３本ずつ設けられているが、これに限られるものではない。また、それぞれの爪部４、５は、地中に挿入しても変形しない程度の剛性をもつ金属製であり、木製の足場台本体２に対して固定されているが、後述する使用方法に耐え得る材質であればこれに限られるものではなく、例えば足場台本体は金属製でも良い。
【００２２】
長片の爪部５のそれぞれには、板状の横架部材６が架け渡されている。この横架部材６は、足場台本体２と略平行となるように、長片の爪部５のそれぞれに架け渡されるように固定されている。横架部材６を取り付けることにより、長片の爪部５の地中挿入量が制限される（図５、図１０、図１１参照）。すなわち、横架部材６の底面が地面に当接する位置まで長片の爪部５を地面に挿入した後は、横架部材６が障害となって、長片の爪部５の地中挿入量が制限される。長片の爪部５の地中挿入量が制限されることにより、足場台本体２の足場面３上に作業員がのって体重を負荷しても、所定の深さ以上に、長片の爪部５が地中に挿入されてしまうことがない。
【００２３】
足場台本体２には、所定の長さの丸棒状の柄７が、足場台本体２に対してほぼ直角に上方に伸びるように取り付けられるようになっている。本実施の形態においては、柄７は、次に述べる構成により、足場台本体２に対して着脱自在に取り付けられる。
【００２４】
すなわち、中央に配置される長片の爪部５ｂの外面には、外方に向けて受け台８が突設されている。受け台８には、上向きにボルト９を固定することにより雄ねじ部が形成されており、柄７の下端部には当該雄ねじ部と螺合する雌ねじ部７ａが形成されている（図４参照）。そして、柄７を把持して、雄ねじ部であるボルト９に対して雌ねじ部７ａをねじ込むことにより、足場台本体２に対して柄７を鉛直に取り付けることができる。柄７を丸棒状に形成したことにより作業者が手で握りやすく、かつ、柄７の着脱を行い易い。なお，受け台８は，長辺の爪部５のいずれか１つに突設されるようにしてもよいが，これに限られることなく，横加部材６に設けるようにしても良い。
【００２５】
長片の爪部５ｂが配置される側の足場台本体２の側面には、柄７を高さ方向から挿入することが可能な環状（本実施の形態においてはΩ字状）の支持金具１０が取り付けられている。支持金具１０は、長片の爪部５の上端近傍に取り付けられており、柄７の下端部をΩ字状の支持金具１０を通してボルト９にねじ込むことができるようになっている。Ω字状の支持金具１０の頂部には孔が形成されており、この孔には蝶ボルト１１が装着されており、柄７を下方に向けて支持金具１０に挿入してボルト９に対して雌ねじ部７ａをねじ込んだ後、蝶ボルト１１を締め込むことにより支持金具１０に挿通された柄７を足場台本体２に向けて押し込むことができるようになっている。蝶ボルト１１を締めこむことにより、柄７の抜け止めが図られるとともに、柄７のガタつきを防止することができる。
【００２６】
長片の爪部５のうち両端に配置された長片の爪部５ａ、５ｃのそれぞれには、側面視でＪ字状のフック１２が先端を上向きにして取り付けられている（図２参照）。図６は図１に示す足場確保器具１の足場台本体２から取り外された柄７をフック１２に嵌め込んだ状態を模式的に示した正面図である。足場台本体２に取り付けられた柄７は、蝶ボルト１１を緩めた後に、柄７をねじ回すことにより足場台本体２から取り外すことができ、この取り外された棒状の柄７は横向きにしてフック１２に嵌め込むことにより、柄７と足場台本体２とを一体として保管ないし搬送することができるようになっている（図６参照）。
【００２７】
後述のとおり、足場確保器具１は、複数台用いることがある（１名の作業者が複数台を利用する場合のほか、複数の作業員が１台ずつ利用する場合が想定される。）。そのため、足場確保器具１の保管や、現場までの運搬の利便性を考慮したとき、複数の足場確保器具１は重ねて持ち運びできる形状であることが望ましい。この点、柄７を取り外してフック１２に取り付けた状態の足場確保器具１は、図７に示されるように重ねやすい形状となっており、軽自動車にもコンパクトに収容して運搬することが可能である。
【００２８】
次に、足場確保器具１を利用方法について説明する。
【００２９】
＜１台の足場確保器具１を用いて作業を行う場合＞  図５は図１に示す足場確保器具を用いて傾斜地（図５中斜線で示す）に足場を確保した状態を示す使用状態説明図である。作業者は、柄７の下端部を把持して、その下端部をΩ字状の支持金具１０に挿入して雌ねじ部７ａにねじ込んだ後、蝶ボルト１１を締め付けることにより、足場台本体２に対して柄７をほぼ直角に取り付ける。次いで、柄７を把持して足場確保器具１を持ち上げ、足場を設置したい傾斜地上の所望の位置において、短片の爪部４が斜面の山側、長片の爪部５が斜面の谷側となるようにして、爪部４、５を地中に向けて振り下ろして突き刺す。これにより、傾斜地の所望の位置において足場確保器具１を自立させる。その後、作業員がその足場確保器具１の足場台本体２の足場面３にのることにより、体重をかけて、足場確保器具１の爪部４、５を地中に挿入させることにより、傾斜地上における足場の確保を確実にする。柄７を把持して足場台本体２を持ち上げることにより、爪部４、５を地面から容易に引き離すことができる。本願発明によれば、非特許文献１とは異なり、足場台本体２に一体として鉛直下方に伸びる爪部４、５を設けており、工具を用いることなく、柄７を把持して容易に挿入・引き抜き（自立・解除）作業を行うことができる。
【００３０】
作業者は、この足場確保器具１の足場面３において、所望の作業（草刈機を用いた草刈り作業等）を行う。斜面の山側に短片の爪部４を設けたことにより、足場台本体２において、谷側に体重をかけた場合でも、傾斜地用足場確保器具１が谷側に転落することを抑制することができる。なお、発明者が実験したところによれば、足場面３は必ずしも水平でなくとも作業が可能である。すなわち、足場面３に片足のみをのせて作業する場合には他方の足でバランスを取ることが可能であり、足場面３に両足をのせて作業する場合には足場面３上で山側に体重をかけるようにして作業することにより、谷側への転落を防止することができる。
【００３１】
＜２台の足場確保器具１を用いて作業を行う場合＞  足場確保器具１を２台用いることにより、傾斜地上の任意の位置に足場を確保しつつ、作業にあわせて任意の移動方向に足場を確保することができる。すなわち、作業者は、先ず、１台目の足場確保器具１の柄７を把持して足場確保器具１を持ち上げ、足場を設置したい傾斜地上の所望の位置において、前述の方法により、斜面に対して足場確保器具１を自立させる。作業者は、この足場確保器具１の足場面３において、所望の作業（草刈機を用いた草刈り作業等）を行う。
【００３２】
次いで、作業者は、作業の進捗にあわせて、２台目の足場確保器具１の柄７を把持して持ち上げ、前述の方法により、足場確保器具１を所望の位置において自立させる。その後、２台目の足場確保器具１の足場面３にのることにより、傾斜面上における新たな位置に略水平の足場を確保する。２台目の足場確保器具１に移動した後、作業の進捗にあわせて、更に任意の移動方向に足場を確保しようとする場合には、２台目の足場確保器具１の足場面３にのった状態で、１台目の足場確保器具１の柄７をつかんで、これを地中から引き抜き、同様の方法により、その爪部４、５を所望の位置に挿入して自立させる。以上の作業を繰り返すことにより、傾斜地上の所望の位置に、作業用の足場を確保することができる。草刈り作業は、作業者の立ち位置を中心としてその周囲の草刈りを終えたら、次の作業位置まで移動することになるので、容易に移動できることが重要であるところ、本願発明によれば、上述のとおり、容易に足場確保器具１の自立・解除作業を行えることから、草刈り作業等を広範囲に行う場合にも、いわば竹馬の要領にて、任意の位置・方向に容易に足場を形成することができる。
【００３３】
なお、足場確保器具１は３台以上用いても良い。斜面の状況によっては、１台でもその効用を十分発揮できる。
【００３４】
次に、本発明の第２の実施の形態について説明する。図８は本発明の第２の実施の形態である足場確保器具２０を模式的に示した側面図であり、図９は図８に示す足場確保器具２０を模式的に示した正面図である。なお、図８から図１１において、第１の実施の形態である足場確保器具１と同等の部材には同一の符号を付している。長片の爪部５ａ、５ｃの長手方向には、所定の間隔で複数（図示する場合には２本）の調整用ボルト２１が外向きに突設されている。一方、横架部材６には、これらの調整用ボルト２１に挿入可能な孔が形成されている。この横架部材６の孔に対して、任意に選択した高さ位置にある調整用ボルト２１を挿入して、調整用ボルト２１の先端部を蝶ナット２２により緊結することにより、横架部材６の取付け高さ位置を可変とする。これにより、長片の爪部５の地中挿入量を調整することができる。傾斜地の勾配にあわせて横架部材６の取付位置を調整することにより、勾配の異なる傾斜面に対して、足場確保器具２０の足場面３を略水平に配置することが可能となる。
【００３５】
図１０は図８に示す足場確保器具２０を用いて傾斜角度αの傾斜地（図１０中斜線で示す）に足場を確保した状態を示す使用状態説明図であり、図１１は図８に示す足場確保器具２０を用いて傾斜角度βの傾斜地（図１１中斜線で示す）に足場を確保した状態を示す使用状態説明図である。なお、傾斜角度α＞βである。図１０に示すように勾配が相対的に大きい場合には、横架部材６を下側の調整用ボルト２１に挿入して取り付けることにより、長片の爪部５の地中挿入量を規制することにより、足場面３上に作業員が乗り込んだ場合でも、その自重に抗して、足場面３を略水平に配置することができる。一方、図１１に示すように勾配が相対的に小さい場合には、横架部材６を上側の調整用ボルト２１に挿入して取り付けることにより、足場面３を略水平に配置することができる。
【００３６】
次に、本発明の第３の実施の形態について説明する。図１２は本発明の第３の実施の形態である足場確保器具３０を模式的に示した側面図であり、図１３は図１２に示す足場確保器具３０に草刈り作業に用いられる熊手を備え付けた状態を模式的に示した正面図である。なお、図１２および図１３において、第１の実施の形態である足場確保器具１と同等の部材には同一の符号を付している。本実施の形態においては、柄７は足場台本体２に対して固定されることにより、足場台本体２に上方に伸びるように取り付けられている。柄７には長手方向に沿って筒体３１が固定されている。この筒体３１には草刈り作業に用いられる熊手３２の柄３３を挿入することができるので、足場確保器具３０と一緒に所望の場所に搬送することができ便宜である。なお、筒体３１には、熊手３２以外にも、草刈り作業その他の傾斜地上における作業に有用な各種機材や器具を取り付けることができる。
【産業上の利用可能性】
【００３７】
本発明の足場確保器具は、勾配の異なる様々な傾斜地における各種作業において、作業用足場を確保するための器具として用いることができる。
【符号の説明】
【００３８】
１    第１の実施の形態である足場確保器具
２    足場台本体
３    足場面
４    短片の爪部
５    長片の爪部
６    横架部材
７    柄
７ａ  雌ねじ部
８    受け台
９    ボルト（雄ねじ部）
１０    支持金具
１１    蝶ボルト
１２    フック
２０    第２の実施の形態である足場確保器具
２１    調整用ボルト
２２    蝶ナット
２３    横架部材
３０    第３の実施の形態である足場確保器具
３１    筒体
３２    熊手
３３    熊手の柄
【図１】
2018071303.tif 000003
【図２】
2018071303.tif 000004
【図３】
2018071303.tif 000005
【図４】
2018071303.tif 000006
【図５】
2018071303.tif 000007
【図６】
2018071303.tif 000008
【図７】
2018071303.tif 000009
【図８】
2018071303.tif 000010
【図９】
2018071303.tif 000011
【図１０】
2018071303.tif 000012
【図１１】
2018071303.tif 000013
【図１２】
2018071303.tif 000014
【図１３】
2018071303.tif 000015